【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
夫々が回転可能であって、夫々の有効画像領域に色に対応した現像剤による画像を形成するように所定方向に順に配置される複数の像担持体と、
前記複数の像担持体に対向する移動可能な転写媒体と、
前記像担持体に対して前記転写媒体を介して対向し、前記像担持体に形成される画像を前記転写媒体に夫々転写する複数の転写部材と、
前記複数の像担持体に夫々備わる有効画像領域外の目盛り描画領域に前記現像剤による画像と対応した第１の静電潜像目盛りを形成する第１の目盛り形成手段と、
前記転写媒体にあって移動方向に交差する方向における有効画像領域外の側端部に、前記第１の静電潜像目盛りの内、上流側の静電潜像目盛りを前記現像剤による画像の転写時に転写することで第２の静電潜像目盛りを形成する第２の目盛り形成手段と、
前記転写媒体を挟んで前記像担持体の側と反対側に設けられ、前記上流側の静電潜像目盛りより下流側の前記第１の静電潜像目盛りを検出する第１の検出手段と、
前記転写媒体を挟んで前記像担持体の側と反対側に設けられ、前記第１の検出手段と前記転写媒体の移動方向における位置が一致し、前記第２の静電潜像目盛りを検出する第２の検出手段と、
前記第１の検出手段および前記第２の検出手段による前記第１の静電潜像目盛りおよび前記第２の静電潜像目盛りの検出ずれを減少させるように、前記下流側の像担持体の回転速度を制御する制御手段と、  を有することを特徴とするカラー画像形成装置。
【請求項２】
夫々が回転可能であって、夫々の有効画像領域に色に対応した現像剤による画像を形成するように所定方向に順に配置される複数の像担持体と、
前記複数の像担持体に対向する移動可能な転写媒体と、
前記像担持体に対して前記転写媒体を介して対向し、前記像担持体に形成される画像を前記転写媒体に夫々転写する複数の転写部材と、
を有するカラー画像形成装置であって、
前記複数の像担持体に夫々備わる目盛り描画領域であって、移動方向に交差する方向における有効画像領域外の側端部であって且つ移動方向において前記有効画像領域よりも先行する領域から始まり前記夫々の有効画像領域に至る目盛り描画領域に前記現像剤による画像と対応した第１の静電潜像目盛りを形成する静電潜像目盛り形成手段と、
前記転写媒体にあって移動方向に交差する方向における有効画像領域外の側端部に、前記第１の静電潜像目盛りの内、上流側の静電潜像目盛りを前記現像剤による画像の転写時に転写することで第２の静電潜像目盛りを形成するための第２の転写部材と、
前記転写媒体を挟んで前記像担持体の側と反対側に設けられ、前記上流側の静電潜像目盛りより下流側の前記第１の静電潜像目盛りを検出する第１の検出手段と、
前記転写媒体を挟んで前記像担持体の側と反対側に設けられ、前記第１の検出手段と前記転写媒体の移動方向における位置が一致し、前記第２の静電潜像目盛りを検出する第２の検出手段と、
前記第１の検出手段および前記第２の検出手段による前記第１の静電潜像目盛りおよび前記第２の静電潜像目盛りの検出ずれを減少させるように、前記下流側の像担持体の回転速度を制御する制御手段と、
を有することを特徴とするカラー画像形成装置。
【請求項３】
前記第１の検出手段および前記第２の検出手段は、同一の基板に一体となって構成されることを特徴とする請求項１または２に記載のカラー画像形成装置。
【請求項４】
移動方向に交差する方向において、前記第２の検出手段は前記第１の検出手段に対し外側に配置されることを特徴とする請求項１乃至３のいずれか１項に記載のカラー画像形成装置。
【請求項５】
移動方向に交差する方向において、前記第２の静電潜像目盛りは前記第１の静電潜像目盛りと重なるような位置に配置され、
前記第１の検出手段、前記第２の検出手段は共通の検出手段として構成され、前記第２の静電潜像目盛りは、前記第１の静電潜像目盛りの各目盛り間隔の中間に各目盛りが配置され、前記第１の静電潜像目盛りの各目盛りに対し両側に隣接する前記第２の静電潜像目盛りとの間隔が等しくなるように制御されることを特徴とする請求項１乃至３のいずれか１項に記載のカラー画像形成装置。
【請求項６】
前記第２の静電潜像目盛りは、前記像担持体の連続回転により、前記転写媒体の移動方向に複数ページ分に渡って前記転写媒体に転写されることを特徴とする請求項１乃至５のいずれか１項に記載のカラー画像形成装置。
【請求項７】
前記目盛り描画領域は、先端余白、有効画像領域の他、後端余白を含むことを特徴とする請求項１乃至６のいずれか１項に記載のカラー画像形成装置。
【手続補正２】
【補正対象書類名】明細書
【補正対象項目名】００１７
【補正方法】変更
【補正の内容】
【００１７】
上記目的を達成するために本発明に係るカラー画像形成装置は、夫々が回転可能であって、夫々の有効画像領域に色に対応した現像剤による画像を形成するように所定方向に順に配置される複数の像担持体と、前記複数の像担持体に対向する移動可能な転写媒体と、前記像担持体に対して前記転写媒体を介して対向し、前記像担持体に形成される画像を前記転写媒体に夫々転写する複数の転写部材と、前記複数の像担持体に夫々備わる有効画像領域外の目盛り描画領域に前記現像剤による画像と対応した第１の静電潜像目盛りを形成する第１の目盛り形成手段と、前記転写媒体にあって移動方向に交差する方向における有効画像領域外の側端部に、前記第１の静電潜像目盛りの内、上流側の静電潜像目盛りを前記現像剤による画像の転写時に転写することで第２の静電潜像目盛りを形成する第２の目盛り形成手段と、前記転写媒体を挟んで前記像担持体の側と反対側に設けられ、前記上流側の静電潜像目盛りより下流側の前記第１の静電潜像目盛りを検出する第１の検出手段と、前記転写媒体を挟んで前記像担持体の側と反対側に設けられ、前記第１の検出手段と前記転写媒体の移動方向における位置が一致し、前記第２の静電潜像目盛りを検出する第２の検出手段と、前記第１の検出手段および前記第２の検出手段による前記第１の静電潜像目盛りおよび前記第２の静電潜像目盛りの検出ずれを減少させるように、前記下流側の像担持体の回転速度を制御する制御手段と、を有することを特徴とする。
また、本発明に係る別のカラー画像形成装置は、夫々が回転可能であって、夫々の有効画像領域に色に対応した現像剤による画像を形成するように所定方向に順に配置される複数の像担持体と、前記複数の像担持体に対向する移動可能な転写媒体と、前記像担持体に対して前記転写媒体を介して対向し、前記像担持体に形成される画像を前記転写媒体に夫々転写する複数の転写部材と、を有するカラー画像形成装置であって、前記複数の像担持体に夫々備わる目盛り描画領域であって、移動方向に交差する方向における有効画像領域外の側端部であって且つ移動方向において前記有効画像領域よりも先行する領域から始まり前記夫々の有効画像領域に至る目盛り描画領域に前記現像剤による画像と対応した第１の静電潜像目盛りを形成する静電潜像目盛り形成手段と、前記転写媒体にあって移動方向に交差する方向における有効画像領域外の側端部に、前記第１の静電潜像目盛りの内、上流側の静電潜像目盛りを前記現像剤による画像の転写時に転写することで第２の静電潜像目盛りを形成するための第２の転写部材と、前記転写媒体を挟んで前記像担持体の側と反対側に設けられ、前記上流側の静電潜像目盛りより下流側の前記第１の静電潜像目盛りを検出する第１の検出手段と、前記転写媒体を挟んで前記像担持体の側と反対側に設けられ、前記第１の検出手段と前記転写媒体の移動方向における位置が一致し、前記第２の静電潜像目盛りを検出する第２の検出手段と、前記第１の検出手段および前記第２の検出手段による前記第１の静電潜像目盛りおよび前記第２の静電潜像目盛りの検出ずれを減少させるように、前記下流側の像担持体の回転速度を制御する制御手段と、を有することを特徴とする。